(57)【要約】      （修正有）【課題】同居親及び非同居親が負担する費用が比較的安価で、かつ非同居親及び同居親を一層不仲にすることなく、非同居親と子供との面会日の設定を行うことが出来るサーバ、及び情報処理装置を提供する。【解決手段】サーバ１１は、同居親の第１情報処置装置１２で、面会日の複数の候補日の選択操作を受け付けた場合に、非同居親の第２情報処理装置１３に対して、複数の候補日を通知する第１通知処理、非同居親の第２情報処理装置で、複数の候補日から１つの候補日の選択操作を受け付けた場合に、同居親の第１情報処理装置にその１つの候補日を通知する第２通知処理、及び、１つの候補日に基づいて面会日を設定する処理、を行う。【選択図】図１
0003223163.tif 000002
【実用新案登録請求の範囲】
【請求項１】
子供の両親のうち子供と同居している同居親と、前記両親のうち子供と同居していない非同居親との間において、前記非同居親と前記子供との面会日を設定するためのサーバであって、
前記同居親の情報処理装置、及び前記非同居親の情報処理装置と通信ネットワークを介して通信を行う通信部を備え、
前記同居親の情報処理装置及び前記非同居親の情報処理装置のうちの一方である第１情報処置装置で、前記面会日の複数の候補日の選択操作を受け付けた場合に、前記同居親の情報処理装置及び前記非同居親の情報処理装置のうちの他方である第２情報処理装置に対して、前記通信部によって、前記複数の候補日を通知する第１通知処理、
前記第２情報処理装置で、前記複数の候補日から１の候補日の選択操作を受け付けた場合に、前記通信部によって、前記第１情報処理装置に前記１の候補日を通知する第２通知処理、及び、
前記１の候補日に基づいて面会日を自動的に設定する処理、を行う、
ことを特徴とするサーバ。
【請求項２】
前記第１情報処置装置で前記面会日の複数の候補日の選択操作を受け付けてから、前記第２情報処置装置で所定期間、前記複数の候補日から１の候補日の選択操作を受け付けない場合には、前記第２情報処理装置に対して、前記１の候補日の選択操作を促す通知を行う第３通知処理、を行う、
ことを特徴とする請求項１に記載のサーバ。
【請求項３】
前記同居親と前記非同居親とを互いに対応づけて複数登録し、
前記第１情報処理装置で前記面会日の複数の候補日の選択操作を受け付けた場合に、この第１情報処理装置の前記同居親又は前記非同居親と対応する、前記同居親又は非同居親の前記第２情報処理装置に対して、前記複数の候補日を通知する、
ことを特徴とする請求項１又は２に記載のサーバ。
【請求項４】
前記１の候補日の選択装置に基づいて設定された面会日を履歴として記録し、
前記第１情報処理装置、前記第２情報処理装置及び管理者の情報処理装置のうち何れかの情報処理装置から前記履歴の閲覧要求を受信したときに、前記履歴の閲覧要求を送信した情報処理装置に対して、前記記録された履歴を示す情報を送信する処理、を行う、
ことを特徴とする請求項１から３の何れかに記載のサーバ。
【請求項５】
前記同居親及び前記非同居親に対応づけて、支援者が登録され、
前記同居親及び前記非同居親についての前記履歴の閲覧要求を、前記支援者の情報処理装置から受信したときに、当該支援者が前記同居親及び前記非同居親に対応づけて登録されている場合に、前記同居親及び前記非同居親についての前記履歴を送信する処理、を行う、
ことを特徴とする請求項４に記載のサーバ。
【請求項６】
定型メッセージが複数登録されており、
前記同居親の情報処理装置及び前記非同居親の情報処理装置のうちの何れか一方から、前記複数の定型メッセージから何れかのメッセージの選択を受信したときに、他方に対して、選択されたメッセージを送信する処理、を行う、
ことを特徴する請求項１から５の何れかに記載のサーバ。
【請求項７】
管理者の情報処理装置から追加定型メッセージを受信した場合に、当該追加定型メッセージを前記定型メッセージとして登録する処理、を行う、
ことを特徴とする請求項６に記載のサーバ。
【請求項８】
前記選択されたメッセージを送信する処理を行った場合に、この送信したメッセージをメッセージ履歴として記録し、
管理者の情報処理装置からメッセージ履歴の閲覧要求を受信したときに、前記管理者の情報処理装置に対して、メッセージ履歴を示す情報を送信する処理、を行う、
ことを特徴とする請求項６又は７に記載のサーバ。
【請求項９】
子供の両親のうち子供と同居している同居親と、前記両親のうち子供と同居していない非同居親とのうち何れか一方の情報処理装置である第１情報処理装置であり、かつ、前記同居親及び前記非同居親の間において、前記非同居親と前記子供との面会日を設定するために、サーバを介して又は介さないで、前記同居親と前記非同居親とのうちの他方の情報処理装置である第２情報処理装置と通信ネットワークを介して通信を行う情報処理装置であって、
前記面会日の複数の候補日の選択操作を受け付けた場合に、前記サーバを介して又は介さないで、前記他方の情報処理装置に対して、前記複数の候補日を示す情報を送信する処理、及び
前記第２情報処理装置で、前記複数の候補日から、前記面会日の自動設定に用いられる１の候補日の選択操作を受け付けた場合に、前記サーバを介して又は介さないで前記第２情報処理装置から前記面会日に対応する前記１の候補日を示す情報を受信する処理、を行う、
ことを特徴とする情報処理装置。
【請求項１０】
子供の両親のうち子供と同居している同居親と、前記両親のうち子供と同居していない非同居親との間において、前記非同居親と前記子供との面会日を設定するために、サーバを介して又は介さないで、前記同居親と前記非同居親とのうち何れか一方の情報処理装置である第１情報処理装置と通信ネットワークを介して通信を行う、前記同居親の情報処理装置及び前記非同居親の情報処理装置のうちの他方の情報処理装置である第２情報処理装置であって、
前記第１情報処理装置で前記面会日の複数の候補日の選択操作を受け付けた場合に、前記サーバを介して又は介さないで前記第１情報処理装置から前記複数の候補日を示す情報を受信する処理、及び
前記複数の候補日から、前記面会日の自動設定に用いられる１の候補日の選択操作を受け付けた場合に、前記サーバを介して又は介さないで前記第１情報処理装置に対して前記１の候補日を示す情報を送信する処理、を行う、
ことを特徴とする情報処理装置。
【考案の詳細な説明】
【技術分野】
【０００１】
本考案は、子供の両親のうち子供と同居している同居親と、両親のうち子供と同居していない非同居親との間において、非同居親と子供との面会日を設定するためのサーバ、及び情報処理装置に関する。
【背景技術】
【０００２】
両親の離婚等によって、子供が一方の親とのみ同居する場合がある。その場合には、両親のうち子供と同居していない非同居親と子供との間において、定期的に面会を行う必要がある。ここで、面会日の設定のために、子供の両親のうち子供と同居している同居親と非同居親との間で、互いに連絡を取り合う必要がある。従来は、例えば、特許文献１に記載されるような、両親の情報処理装置間でチャット等を行ったり、メールで連絡を取り合うことで、面会日を設定することが一般的であった。
【先行技術文献】
【特許文献】
【０００３】
【特許文献１】特開２０１３−２５７８５８号公報
【考案の概要】
【考案が解決しようとする課題】
【０００４】
上述した従来の方法では、非同居親及び同居親が不仲である場合に、チャットやメール等の内容によって一層不仲になる場合があり、これによって、非同居親及び同居親が協力しての子供の円滑な養育の妨げになる場合があった。例えば、同居親が、非同居親と子供を合わせたがらなくなる等の問題が生じする場合があった。面会日の設定のために、同居親と非同居親とが直接連絡をすることを避けるために、この連絡を仲介する事業者がいるが、その事業者の利用は人により連絡を仲介するため、人件費がかかり一般的に高額であった。
【０００５】
そこで、本考案の課題は、同居親及び非同居親が負担する費用が比較的安価で、かつ非同居親及び同居親を一層不仲にすることなく、非同居親と子供との面会日の設定を行うことが出来るサーバ、及び情報処理装置を提供することである。
【課題を解決するための手段】
【０００６】
（１）上記課題を解決するために、本考案に係るサーバは、子供の両親のうち子供と同居している同居親と、前記両親のうち子供と同居していない非同居親との間において、前記非同居親と前記子供との面会日を設定するためのサーバであって、前記同居親の情報処理装置、及び前記非同居親の情報処理装置と通信ネットワークを介して通信を行う通信部を備え、前記同居親の情報処理装置及び前記非同居親の情報処理装置のうちの一方である第１情報処置装置で、前記面会日の複数の候補日の選択操作を受け付けた場合に、前記同居親の情報処理装置及び前記非同居親の情報処理装置のうちの他方である第２情報処理装置に対して、前記通信部によって、前記複数の候補日を通知する第１通知処理、前記第２情報処理装置で、前記複数の候補日から１の候補日の選択操作を受け付けた場合に、前記通信部によって、前記第１情報処理装置に前記１の候補日を通知する第２通知処理、及び、前記１の候補日に基づいて面会日を自動的に設定する処理、を行う、ことを特徴とする。
【０００７】
上記（１）に記載の構成によれば、同居親の情報処理装置及び前記非同居親の情報処理装置のうちの一方である第１情報処置装置で複数の候補日の選択操作を受け付けた場合に、サーバによって、同居親の情報処理装置及び前記非同居親の情報処理装置のうちの他方である第２情報処理装置に対して、複数の候補日が通知される。そして、第２情報処理装置で、複数の候補日から１の候補日の選択操作を受け付けた場合に、サーバによって、１情報処理装置に１の候補日が通知される。そして、サーバによって、１の候補日に基づいて面会日が設定される。この様に、第１情報処理装置において、同居親及び非同居親のうちの一方が複数の候補日の選択操作を行うだけ、第２情報処理装置において、同居親及び非同居親のうちの他方が複数の候補日から１の候補日の選択操作を行うだけで、同居親及び非同居親の間で互いに都合の良い面会日の候補日を調整（すり合わせる）ことが出来、すり合わせた候補日に基づいてサーバによって面会日が設定される。このため、同居親及び非同居親が相手方にとって不快な文言を相手方に送信する機会が減り、非同居親及び同居親を一層不仲にすることなく、非同居親と子供との面会日の設定を行うことが出来る。また、複数の候補日の選択操作、及び１の候補日の選択操作を受け付けた場合に、サーバが自動的に面会日を設定するため、非同居親及び同居親の間の連絡に人が仲介する従来の事業に比較して、上記構成のサーバ利用者の人数次第では、安価に面会日を設定することが可能になる。
【０００８】
（２）上記課題を解決するために、上記サーバは、前記第１情報処置装置で前記面会日の複数の候補日の選択操作を受け付けてから、前記第２情報処置装置で所定期間、前記複数の候補日から１の候補日の選択操作を受け付けない場合には、前記第２情報処理装置に対して、前記１の候補日の選択操作を促す通知を行う第３通知処理、を行ってもよい。
【０００９】
上記構成によれば、第１情報処置装置で複数の候補日の選択操作を受け付けたのに、第２情報処理装置で複数の候補日から１の候補日の選択操作を受け付けない場合には、サーバによって、１の候補日の選択操作を促す通知が第２情報処理装置に対して行われる。このため、複数の候補日の選択操作を行った同居親又は非同居親が、第２情報処理装置に対して１の候補日の選択操作を促すための連絡をしなくてもよくなり、これによって、同居親及び非同居親が相手方にとって不快な文言を相手方に送信する機会が減る。なお、「前記第１情報処置装置で前記面会日の複数の候補日の選択操作を受け付けてから」には、「前記第１通知を行ってから」を含む。また、「前記第２情報処置装置で所定期間、前記複数の候補日から１の候補日の選択操作を受け付けない場合」には、「サーバが第２情報処理装置から１の候補日の選択を示す情報を所定期間受信しない場合」を含む。
【００１０】
（３）上記サーバは、前記同居親と前記非同居親とを互いに対応づけて複数登録し、前記第１情報処理装置で前記面会日の複数の候補日の選択操作を受け付けた場合に、この第１情報処理装置の前記同居親又は前記非同居親と対応する、前記同居親又は非同居親の前記第２情報処理装置に対して、前記複数の候補日を通知してもよい。
【００１１】
上記構成によれば、同居親と非同居親とが対応づけて登録されるため、サーバを利用する同居親と非同居親とのペアが複数存在する場合でも、対応づけられた同居親と非同居親（すなわち同じ子供の同居親と非同居親）の間でしか、選択された複数の候補日のと、この複数の候補日から選択された１の候補日とが通知されず、面会日に関するプライバシーを守ることが出来る。
【００１２】
（４）上記サーバは、前記１の候補日の選択装置に基づいて設定された面会日を履歴として記録する記録手段を備え、前記第１情報処理装置、前記第２情報処理装置及び管理者の情報処理装置のうち何れかの情報処理装置から前記履歴の閲覧要求を受信したときに、前記履歴の閲覧要求を送信した情報処理装置に対して、前記記録された履歴を示す情報を送信する処理、を行ってもよい。
【００１３】
上記構成によれば、面会日が設定されると、面会日が履歴として順次記録されるため、同居親又は非同居親が過去の面会状況を確認したいときには、第１情報処理装置又は第２情報処理装置で履歴の閲覧要求を送信することで、過去の面会状況を閲覧することができる。また、管理者の情報処理装置で履歴の閲覧要求を送信することで、管理者も過去の面会状況を閲覧することができる。「管理者」とは、例えば、第１情報処理装置、第２情報処置装置、及びサーバからなる面会日設定システムの運営者や運営会社等である。管理者が、過去の面会情報を閲覧することで、適切な頻度で、非同居親と子供が面会できているかを確認することが出来るため、適切な頻度で面会出来ていない場合に、同居親又は非同居親に対して面会を促す等の適切なアクションを取ることができる。
【００１４】
（５）上記サーバは、前記同居親及び前記非同居親に対応づけて、支援者が登録され、前記同居親及び前記非同居親についての前記履歴の閲覧要求を、前記支援者の情報処理装置から受信したときに、当該支援者が前記同居親及び前記非同居親に対応づけて登録されている場合に、前記同居親及び前記非同居親についての前記履歴を送信する処理、を行ってもよい。
【００１５】
離婚した元夫婦の共同養育を支援するための支援団体等（支援者）があるが、上記構成によれば、同居親及び非同居親を支援する支援者を、同居親及び非同居親に対応づけて登録することができる。なお、支援者が複数存在する場合には、複数の支援者が対応づけて登録されてもよい。そして、同居親及び非同居親に対応づけて登録されている支援者の情報処理装置から履歴の閲覧要求を受信したときに、この同居親及び非同居親についての面会日の履歴が支援者の情報処理装置に対してサーバから送信される。このため、支援者が、過去の面会情報を閲覧することで、適切な頻度で、非同居親と子供が面会できているかを確認することが出来るため、適切な頻度で面会出来ていない場合に、同居親又は非同居親に対して面会を促す等の適切なアクションを取ることができる。また、同居親と非同居親に対応づけられている支援者に対してのみ、この同居親及び非同居親についての面会日の履歴が送信されるため、面会日に関するプライバシーを守ることが出来る。
【００１６】
（６）上記サーバには、定型メッセージが複数登録されており、前記同居親の情報処理装置及び前記非同居親の情報処理装置のうちの何れか一方から、前記複数の定型メッセージから何れかのメッセージの選択を受信したときに、他方に対して、選択されたメッセージを送信する処理、を行ってもよい。
【００１７】
同居親及び非同居親がテキスト入力によって相手方への任意のメッセージ文を直接入力することが出来るように構成すれば、相手方への悪感情がある場合に、相手方を不快にするようなメッセージ内容を入力してしまう恐れがある。この様な場合には、無用な紛争に発展し、子供を同居親及び非同居親が共同で養育することの妨げになることがある。上記構成によれば、定型メッセージの選択によって、同居親及び非同居親間で送受信するメッセージの入力を行うことが出来るため、同居親及び非同居親が相手方にとって不快な文言を相手方に送信することを効果的に防止することができる。
【００１８】
（７）上記のサーバは、管理者の情報処理装置から追加定型メッセージを受信した場合に、当該追加定型メッセージを前記定型メッセージとして登録する処理、を行う、ことを特徴としてもよい。
【００１９】
上記構成によれば、同居親及び非同居親が、子供の共同養育のために適切なコミュニンケーションを取ることに必要であると管理者が判断した定型メッセージを適宜サーバに登録させることができる。また、管理者が適切であると判断したメッセージ文を追加することが出来るため、同居親及び非同居親の間で無用な紛争に発展させることがないと管理者に判断された定型メッセージを追加登録することが出来る。
【００２０】
（８）上記のサーバは、前記選択されたメッセージを送信する処理を行った場合に、この送信したメッセージをメッセージ履歴として記録し、管理者の情報処理装置からのメッセージ履歴の閲覧要求を受信したときに、前記管理者の情報処理装置に対して、メッセージ履歴を示す情報を送信する処理、を行ってもよい。
【００２１】
上記構成によれば、メッセージ履歴が記録され、管理者の情報処理装置からのメッセージ履歴の閲覧要求によって、管理者に提供することが出来る。このため、管理者は、メッセージ履歴を閲覧して、同居親及び非同居親の間が険悪になっていないかどうかを確認し、険悪になっている場合には、同居親や非同居親に対して険悪な状況を緩和するために必要なアクションを取ることができる。
【００２２】
（９）上記課題を解決するために、本考案に係る情報処置装置は、子供の両親のうち子供と同居している同居親と、前記両親のうち子供と同居していない非同居親とのうち何れか一方の情報処理装置である第１情報処理装置であり、かつ、前記同居親及び前記非同居親の間において、前記非同居親と前記子供との面会日を設定するために、サーバを介して又は介さないで、前記同居親と前記非同居親とのうちの他方の情報処理装置である第２情報処理装置と通信ネットワークを介して通信を行う情報処理装置であって、前記面会日の複数の候補日の選択操作を受け付けた場合に、前記サーバを介して又は介さないで、前記他方の情報処理装置に対して、前記複数の候補日を示す情報を送信する処理、及び前記第２情報処理装置で、前記複数の候補日から、前記面会日の自動設定に用いられる１の候補日の選択操作を受け付けた場合に、前記サーバを介して又は介さないで前記第２情報処理装置から前記１の候補日を示す情報を受信する処理、を行う、ことを特徴とする。
【００２３】
上記構成によれば、第１情報処理装置において、同居親及び非同居親のうちの一方が複数の候補日の選択操作を行うだけ、第２情報処理装置において、同居親及び非同居親のうちの他方が複数の候補日から１の候補日の選択操作を行うだけで、同居親及び非同居親の間で互いに都合の良い面会日の候補日を調整（すり合わせる）ことが出来、すり合わせた候補日に基づいて面会日が設定される。このため、同居親及び非同居親が相手方にとって不快な文言を相手方に送信する機会が減り、非同居親及び同居親を一層不仲にすることなく、非同居親と子供との面会日の設定を行うことが出来る。また、複数の候補日の選択操作、及び１の候補日の選択操作を受け付けた場合に、自動的に面会日が設定されるため、非同居親及び同居親の間の連絡に人が仲介する従来の事業に比較して、上記構成のサーバ利用者の人数次第では、安価に面会日を設定することが可能になる。
【００２４】
（１０）上記課題を解決するために、本考案に係る情報処置装置は、子供の両親のうち子供と同居している同居親と、前記両親のうち子供と同居していない非同居親との間において、前記非同居親と前記子供との面会日を設定するために、サーバを介して又は介さないで、前記同居親と前記非同居親とのうち何れか一方の情報処理装置である第１情報処理装置と通信ネットワークを介して通信を行う、前記同居親の情報処理装置及び前記非同居親の情報処理装置のうちの他方の情報処理装置である第２情報処理装置であって、前記第１情報処理装置で前記面会日の複数の候補日の選択操作を受け付けた場合に、前記サーバを介して又は介さないで前記第１情報処理装置から前記複数の候補日を示す情報を受信する処理、及び前記複数の候補日から、前記面会日の自動設定に用いられる１の候補日の選択操作を受け付けた場合に、前記サーバを介して又は介さないで前記第１情報処理装置に対して前記１の候補日を示す情報を送信する処理、を行う、ことを特徴とする。
【００２５】
上記構成によれば、上記（９）の作用効果と同様の作用効果を奏する。
【考案の効果】
【００２６】
上記構成によれば比較的安価でかつ非同居親及び同居親を一層不仲にすることなく、非同居親と子供との面会日の設定を行うことが出来るサーバ、及び情報処理装置を提供することすることができる。これによって、両親のうち何れか一方と同居出来ない養育環境においても、子供の健やかな成長を促進することができる。
【図面の簡単な説明】
【００２７】
【図１】本考案を適用した一実施形態に係る面会日設定システムのブロック図である。
【図２Ａ】複数候補日入力画像の一例を示す図である。
【図２Ｂ】メッセージ登録画像の一例を示す図である。
【図２Ｃ】非同居親確認画像の一例を示す図である。
【図３】面会日の承諾画像の一例を示す図である。
【図４】メッセージ登録画像の一例を示す図である。
【図５】面会日設定システムが実行する面会日設定処理（サーバ側面会日設定処理、第１側面会日設定処理、第２側面会日設定処理）の一例を示すフローチャート（その１）である。
【図６】面会日設定システムが実行する面会日設定処理（サーバ側面会日設定処理、第１側面会日設定処理、第２側面会日設定処理）の一例を示すフローチャート（その２）である。
【図７】面会日設定システムが実行する面会日設定処理（サーバ側面会日設定処理、第１側面会日設定処理、第２側面会日設定処理）の一例を示すフローチャート（その３）である。
【図８】面会日設定システムが実行する面会日設定処理（サーバ側面会日設定処理、第１側面会日設定処理、第２側面会日設定処理）の一例を示すフローチャート（その４）である。
【考案を実施するための形態】
【００２８】
（本実施形態に係る面会日設定システムの全体構成）
以下に、図１を用いて、本考案を適用した一実施形態に係る面会日設定システムの構成を説明する。面会日設定システム１は、両親の離婚や別居等によって子供が一方の両親と同居していない場合に、子供と同居していない方の親（非同居親）と子供との面会日を設定するために用いられるシステムである。面会日設定システム１は、サーバ１１、同居親の情報処理装置である第１情報処理装置１２、非同居親の情報処理装置である第２情報処理装置１３、本システム１の管理者の情報処理装置である管理者情報処理装置１４、及び支援者（同居親及び非同居親の支援者）の情報処理装置である支援者情報処理装置１５を備える。
【００２９】
サーバ１１は、インターネット等のネットワークＮを介して第１情報処理装置１２と第２情報処理装置１３との間の面会日の設定のための情報の送受信を仲介（中継）する。本面会日設定システム１では、第１情報処理装置１２及び第２情報処理装置１３が、インターネットブラウザ機能及び電子メール機能を使用して、ユーザ（同居親及び非同居親）からの所定の操作を受け付け、かつ、サーバ１１との間で情報の送受信を行う。もっとも、インターネットブラウザ機能及び電子メール機能の使用に代えて、面会日設定用の専用アプリケーションの実行によって、第１情報処理装置１２及び第２情報処理装置１３が、ユーザ（同居親及び非同居親）からの所定の操作を受け付け、かつ、サーバ１１との間で情報の送受信を行ってもよい（後述の第１側面会日設定処理、第２側面会日設定処理を実行してもよい）。なお、専用アプリケーションは、サーバ１１から第１情報処理装置１２及び第２情報処理装置１３に配信してもよい。
【００３０】
サーバ１１は、操作部１１１、通信部１１２、記憶部１１３、表示部１１４、及びＣＰＵ１１５を、備える。操作部１１１は、ユーザからの指示（操作）を受け付けるためのものである。通信部１１２は、他の情報処理装置と有線及び／又は無線でインターネット等のネットワークＮを介して通信を行うものである。具体的には、通信部１１２は、第１情報処理装置１２、第２情報処理装置１３、管理者情報処理装置１４、及び支援者情報処理装置１５とネットワークＮを介して通信を行うものである。
【００３１】
記憶部１１３は、例えば、ＲＯＭ、ＲＡＭ、フラッシュメモリ等で構成されるものである。記憶部１１３は、同居親と非同居親とを互いに対応づけて複数登録した面会交流データベースを記憶する。この面会交流データベースには、同居親及び非同居親に対応づけて、支援者も登録されている。また、記憶部１１３には、同居親及び非同居親が互いの連絡に使用可能な定型メッセージ（テキスト文章）が複数登録されている。なお、管理者情報処理装置１４から追加定型メッセージを受信した場合に、記憶部１１３には、追加定型メッセージが定型メッセージとして更に記憶（登録）される。また、記憶部１１３には、メッセージ履歴及び面会日の履歴等も記憶される。
【００３２】
表示部１１４は、例えば、液晶ディスプレイや有機ＥＬディスプレイ等のディスプレイである。ＣＰＵ１１５は、本実施形態では、記憶部１１３に記憶されているサーバ側面会日設定プログラムを実行することで、後述のサーバ側面会日設定処理を実行する。
【００３３】
第１情報処理装置１２は、上述したように、同居親の所持する情報処理装置である。例えば、第１情報処理装置１２は、パーソナルコンピュータや据え置き型ゲーム機のような据え置き型の情報処理装置や、スマートフォン、ＰＤＡや携帯型ゲーム機のような携帯型の情報処理装置である。なお、本実施形態では、同居親に対して、本面会日設定システム１の利用のためのＩＤとパスワードが設定されており、同居親の任意の情報処理装置において、インターネットブラウザを立ち上げて、サーバ１１の提供する面会日設定サイトにアクセスして、表示されたログイン画像で、ＩＤとパスワードを入力することで、当該任意の情報処理装置を第１情報処理装置１２とすることができる。
【００３４】
第１情報処理装置１２は、操作部１２１、通信部１２２、記憶部１２３、表示部１２４、及びＣＰＵ１２５を備える。操作部１２１は、ユーザである同居親からの指示（操作）を受け付けるためのものである。通信部１２２は、他の情報処理装置と有線及び／又は無線でインターネット等のネットワークＮを介して通信を行うものである。具体的には、通信部１２２は、サーバ１１とネットワークＮを介して通信を行うものである。記憶部１２３は、例えば、ＲＯＭ、ＲＡＭ、フラッシュメモリ等で構成されるものである。表示部１２４は、例えば、液晶ディスプレイや有機ＥＬディスプレイ等のディスプレイである。なお、表示部１２４は、タッチパネルを搭載していてもよく、この場合には、タッチパネルが操作部１２１となる。ＣＰＵ１２５は、後述の第１側面会日設定処理を実行する。
【００３５】
第２情報処理装置１３は、上述したように、非同居親の所持する情報処理装置である。例えば、第２情報処理装置１３は、パーソナルコンピュータや据え置き型ゲーム機のような据え置き型の情報処理装置や、スマートフォン、ＰＤＡや携帯型ゲーム機のような携帯型の情報処理装置である。なお、本実施形態では、非同居親に対して、本面会日設定システム１の利用のためのＩＤとパスワードが設定されており、非同居親の任意の情報処理装置において、インターネットブラウザを立ち上げて、サーバ１１の提供する面会日設定サイトにアクセスして、表示されたログイン画像で、ＩＤとパスワードを入力することで、当該任意の情報処理装置を第２情報処理装置１３とすることができる。
【００３６】
第２情報処理装置１３は、操作部１３１、通信部１３２、記憶部１３３、表示部１３４、及びＣＰＵ１３５を備える。操作部１３１は、ユーザである非同居親からの指示（操作）を受け付けるためのものである。通信部１３２は、他の情報処理装置と有線及び／又は無線でインターネット等のネットワークNを介して通信を行うものである。具体的には、通信部１３２は、サーバ１１とネットワークNを介して通信を行うものである。記憶部１３３は、例えば、ＲＯＭ、ＲＡＭ、フラッシュメモリ等で構成されるものである。表示部１３４は、例えば、液晶ディスプレイや有機ＥＬディスプレイ等のディスプレイである。なお、表示部１３４は、タッチパネルを搭載していてもよく、この場合には、タッチパネルが操作部１３１となる。ＣＰＵ１３５は、後述の第２側面会日設定処理を実行する。
【００３７】
管理者情報処理装置１４は、上述したように、本面会日設定システム１の管理者の所持する情報処理装置である。管理者とは、面会日設定システムの運営者や運営会社等である。例えば、管理者情報処理装置１４は、パーソナルコンピュータや据え置き型ゲーム機のような据え置き型の情報処理装置や、スマートフォン、ＰＤＡや携帯型ゲーム機のような携帯型の情報処理装置である。なお、本実施形態では、管理者に対して、本面会日設定システム１の管理者としての利用のための管理者ＩＤと管理者パスワードが設定されており、管理者の任意の情報処理装置において、インターネットブラウザを立ち上げて、サーバ１１の提供する面会日設定サイトにアクセスして、表示されたログイン画像で、ＩＤとパスワードを入力することで、当該任意の情報処理装置を管理者情報処理装置１４とすることができる。
【００３８】
管理者情報処理装置１４は、操作部１４１、通信部１４２、記憶部１４３、表示部１４４、及びＣＰＵ１４５を備える。操作部１４１は、ユーザである管理者からの指示を受け付けるためのものである。通信部１４２は、他の情報処理装置と有線及び／又は無線でインターネット等のネットワークＮを介して通信を行うものである。具体的には、通信部１４２は、サーバ１１とネットワークＮを介して通信を行うものである。記憶部１４３は、例えば、ＲＯＭ、ＲＡＭ、フラッシュメモリ等で構成されるものである。表示部１４４は、例えば、液晶ディスプレイや有機ＥＬディスプレイ等のディスプレイである。なお、表示部１４４は、タッチパネルを搭載していてもよく、この場合には、タッチパネルが操作部１４１となる。ＣＰＵ１４５は、本実施形態では、管理者からメッセージ履歴や面会日履歴の閲覧操作を操作部１４１で受け付けたときに、サーバ１１に対して履歴の閲覧要求を送信する。そして、ＣＰＵ１４５は、サーバ１１から履歴の閲覧要求に応じて、履歴を受信したときに、表示部１４４に履歴情報を表示する。
【００３９】
支援者情報処理装置１５は、上述したように、同居親及び非同居親の支援者の所持する情報処理装置である。支援者とは、例えば面会支援事業を行うＮＰＯ法人等である。例えば、支援者情報処理装置１５は、パーソナルコンピュータや据え置き型ゲーム機のような据え置き型の情報処理装置や、スマートフォン、ＰＤＡや携帯型ゲーム機のような携帯型の情報処理装置である。なお、本実施形態では、支援者に対して、本面会日設定システム１の支援者としての利用のための支援者ＩＤと支援者パスワードが設定されており、支援者の任意の情報処理装置において、インターネットブラウザを立ち上げて、サーバ１１の提供する面会日設定サイトにアクセスして、表示されたログイン画像で、ＩＤとパスワードを入力することで、当該任意の情報処理装置を支援者情報処理装置１５とすることができる。
【００４０】
支援者情報処理装置１５は、操作部１５１、通信部１５２、記憶部１５３、表示部１５４、ＣＰＵ１５５備える。操作部１５１は、ユーザである支援者からの指示を受け付けるためのものである。通信部１５２は、他の情報処理装置と有線及び／又は無線でインターネット等のネットワークＮを介して通信を行うものである。具体的には、通信部１３２は、サーバ１１とネットワークＮを介して通信を行うものである。記憶部１５３は、例えば、ＲＯＭ、ＲＡＭ、フラッシュメモリ等で構成されるものである。表示部１５４は、例えば、液晶ディスプレイや有機ＥＬディスプレイ等のディスプレイである。なお、表示部１５４は、タッチパネルを搭載していてもよく、この場合には、タッチパネルが操作部１５１となる。ＣＰＵ１５５は、本実施形態では、支援者からメッセージ履歴や面会日履歴の閲覧操作を操作部１５１で受け付けたときに、サーバ１１に対して履歴の閲覧要求を送信する。そして、ＣＰＵ１５５は、サーバ１１から履歴の閲覧要求に応じて、履歴を受信したときに、表示部１５４に履歴情報を表示する。なお、サーバ１１では、記憶部１１３に記憶されている面会交流データベースを参照して、支援者が同居親及び非同居親に対応づけられている場合にのみ、履歴情報が支援者情報処理装置１５に対して送信される。
【００４１】
なお、図１では、第１情報処理装置１２、第２情報処理装置１３、支援者情報処理装置１５は、一つしか示してはいないが、実際には、本面会日設定システム１を利用する同居親及び非同居親のペアは複数あり、複数の第１情報処理装置１２及び第２情報処理装置１３のペアが面会日設定システム１に含まれる。本面会日設定システム１の利用者が増えるほど、面会日設定システム１を利用する同居親及び非同居親に係る利用料も低額にすることができる。本面会日設定システム１を利用する同居親及び非同居親についての支援者も複数あってもよく、複数の支援者情報処理装置１５が面会日設定システム１に含まれても良い。
【００４２】
（面会日設定処理）
以下に図１から図８を用いて、本面会日提供システム１が実行する面会日設定処理の一例について説明する。なお、面会日設定処理において、サーバ１１（ＣＰＵ１１５）が実行する処理を「サーバ側面会日設定処理」とし、第１情報処理装置１２（ＣＰＵ１２５）が実行する処理を「第１側面会日設定処理」設定処理」とし、第２情報処理装置１３（ＣＰＵ１３５）が実行する処理を「第２側面会日設定処理」とする。また、図５から図８のフローチャートでは、点線矢印は、通信を行うことを示し、矢印の向きが情報の送信方向を示す。
【００４３】
（面会日設定処理：利用登録のための処理）
図５を参照して、サーバ１１は、管理者情報処理装置１４からシステム登録指示を受信したかどうかを判断する（Ｓ１）。同居親又は非同居親は、例えば、（i）子供の氏名及び連絡先等の子供に関する情報、（ii）両親（同居親及び非同居親）の氏名及び連絡先等の両親に関する情報、（iii）面会日を設定する周期（月１回等）、（iv）子供の同居者（両親の何れが同居親か）、及び（v）支援者情報等を記載した本面会日設定システム１の利用申込書を管理者に対して郵送や電子メール等で送付する。管理者は、管理者情報処理装置１５に対して、利用申込書に記載の事項を入力し、この事項の入力を受け付けた管理者情報処理装置１５は、この入力事項の情報を含むシステム登録指示をサーバ１１に対して送信する。なお、この利用申込書に記載の事項の入力及びシステム登録指示の送信は、管理者情報処理装置１５においてインターネットブラウザを介して行われる。
【００４４】
システム登録指示を受信したと判断した場合には（Ｓ１でＹＥＳ）、サーバ１１は、初期登録処理を実行する（Ｓ２）。初期登録処理では、管理者情報処理装置１４から受信したシステム登録指示に含まれる事項が記憶部１１３に記憶される面会交流データベースに記憶（初期登録）される。ここで、初期登録では、面会交流データベースに、同居親及び非同居親が対応づけて登録される。また、サーバ１１は、第１情報処理装置１２及び第２情報処理装置１３に対して、電子メール（案内メール）で初期登録を行った旨を通知（初期登録通知）する。なお、この通知には、同居親及び非同居親夫々についてのＩＤとパスワードの情報が含まれる。
【００４５】
ここで、第１情報処理装置１２、第２情報処理装置１３は、サーバ初期登録通知（案内メール）を受信し、サーバ１１の面会交流データベースに初期登録されている情報の確認操作を受け付けて、確認操作があった旨の通知をサーバ１１に対して送信する第１側初期登録処理又は第２側初期登録処理を実行する（Ｓ１０１、Ｓ２０１）。ここで、ステップＳ１０１、Ｓ２０１において、面会交流データベースに初期登録されている情報の編集操作を受け付けたときには、確認操作があった旨の通知とともに編集内容がサーバ１１に対して送信される。なお、確認操作の受け付けは、インターネットブラウザを介して、サーバ１１からグラフィカルユーザインタフェースを受信し、このインタフェースを介して行われる。ここで、ユーザインタフェースの受信のために、第１情報処理装置１２、第２情報処理装置１３は、サーバ１１のサイトにアクセスしてログイン画面を表示し、ログイン画面において、サーバ初期登録通知に含まれるＩＤ、パスワードの入力を受け付ける。なお、本面会日設定処理において、操作入力を受け付けるためのグラフィカルユーザインタフェースをサーバ１１から受信するためには、ログイン画面においてＩＤ及びパスワードの入力を受け付けることで行われる。
【００４６】
サーバ１１は、ステップＳ２の初期登録処理において、面会交流データベースに初期登録されている情報の確認操作があった旨の通知を第１情報処理装置１２、第２情報処理装置１３から受信する。ここで、サーバ１１は、面会交流データベースに初期登録されている情報の編集内容も受信した場合には、面会交流データベースに初期登録されている情報を変更する。この後、サーバ１１は、管理者情報処理装置１５に対して電子メール等で、確認操作があった旨を通知する。なお、この通知を受けた管理者情報処理装置１は、面会交流データベースに初期登録されている情報を表示し、情報の内容を確認した管理者から承認操作を受け付ける。承認操作を受け付けた場合に、管理者情報処理装置１は、承認指示をサーバ１１に対して送信し、この承認指示を受け付けたサーバ１１が、電子メール（利用開始メール）によって、利用開始通知を第１情報処理装置１２及び第２情報処理装置１３に対して送信する。ここで、第１情報処理装置１２及び第２情報処理装置１３は、ステップＳ１０１、Ｓ２０１において、利用開始通知（利用開始メール）を受信する。なお、ステップＳ１において、サーバ１１がシステム登録指示を受信していないと判断した場合には、サーバ１１は、ステップＳ２を実行することなく、処理をステップＳ３に進める。
【００４７】
（面会日設定処理：複数の候補日を第２情報処理装置に通知するための処理）
第１情報処理装置１２は、同居親から複数の候補日入力画像Ｇ１（図２参照）の表示操作を受け付け（Ｓ１０２）、操作に応じて複数の候補日入力画像Ｇ１の送信要求をサーバ１１に対して送信する（Ｓ１０３）。
【００４８】
ここで、サーバ１１は、複数の候補日入力画像Ｇ１の送信要求を受信し（Ｓ３）、この要求に応じて、第１情報処理装置１２に対して、複数の候補日入力画像Ｇ１を送信する（Ｓ４）。
【００４９】
第１情報処理装置１２は、サーバ１１から複数の候補日入力画像Ｇ１を受信して、表示部１１４で表示する（Ｓ１０４）。複数の候補日入力画像Ｇ１とは、図２Ａで示すように、同居親が希望する面会日の候補日を複数日入力するためのグラフィカルユーザインタフェースである。図２Ａで示す複数の候補日入力画像Ｇ１は、第１希望から第３希望までの３個の候補日を入力する欄Ｇ１１、Ｇ１２、Ｇ１３を表示する。これらの欄Ｇ１１、Ｇ１２、Ｇ１３には、面会希望時間、子供の受け渡し場所、子供の引き受け場所の入力部も設けられている。更には、メッセージ入力欄Ｇ１４が設けられている。このメッセージ入力欄Ｇ１４をカーソル等で選択すると、サーバ１１の記憶部１１３に記憶されている定型メッセージの一覧（図４で示すような定型メッセージの一覧）が表示され、同居親の選択操作によって定型メッセージ一覧の中からメッセージを選択して入力することが出来るようになっている。また、複数の候補日入力画像Ｇ１には、確認画面ボタンＧ１５も表示されており、この「確認画面」ボタンＧ１５を選択操作することで、複数の候補日入力画像Ｇ１で入力された情報を示す確認画面が表示される。そして、この確認画面において、「完了画面へ」ボタンが同居親に選択操作されることで、複数の候補日及びメッセージの入力が確定される。
【００５０】
第１情報処理装置１２は、複数の候補日入力画像Ｇ１に基づいて同居親から入力（選択）された複数の候補日及びメッセージを含む情報をサーバ１１に対して送信する（Ｓ１０５）。ステップＳ１０５の処理は、本発明の「面会日の複数の候補日の選択操作を受け付けた場合に、サーバ１１に対して、複数の候補日を示す情報を送信する処理」に相当します。
【００５１】
ここで、サーバ１１は、複数の候補日入力画像Ｇ１に基づいて同居親から入力された複数の候補日及びメッセージを含む情報を受信して記憶部１１３に記憶する（Ｓ５）。そして、サーバ１１は、ステップＳ５で受信した複数の候補日及びメッセージを含む情報を電子メールによって第２情報処理装置１３に対して通知（送信）するとともに、この通知日を記憶部１１３に記憶する（Ｓ６）。なお、このステップＳ６の処理が、本発明の「第１情報処置装置で、前記面会日の複数の候補日の選択操作を受け付けた場合に、前記同居親の情報処理装置及び前記非同居親の情報処理装置のうちの他方である第２情報処理装置に対して、前記通信部によって、前記複数の候補日を通知する第１通知処理」に該当する。
【００５２】
本面会日設定システム１を利用する同居親及び非同居親のペアが複数存在する場合がある。この場合には、サーバ１１の記憶部１１３に記憶される面会交流データベースには、同居親と非同居親とが互いに対応づけて複数登録されているが、ステップＳ６において、サーバ１１は、ステップＳ５で受信した情報の送信元である第１情報処理装置１２の同居親に対応する、非同居親の第２情報処理装置１３に対して、複数の候補日を通知する（第１通知処理を行う）。なお、この処理が、本発明の「第１情報処理装置１２で面会日の複数の候補日の選択操作を受け付けた場合に、この第１情報処理装置１２の同居親又は非同居親と対応する、同居親又は非同居親の第２情報処理装置１３に対して、前記複数の候補日を通知する」ことに該当する。なお、本面会日設定処理において、第１情報処理装置１２及び第２情報処理装置１３との情報の仲介（中継）は、互いに対応づけて登録されている同居親及び非同居親の第１情報処理装置１２と第２情報処理装置１３との間でしか行わない。これによって、面会日の設定に関するプライバシーが守られる。
【００５３】
ここで、第２情報処理装置２は、サーバ１１（ステップＳ６実行したサーバ１１）から電子メールで複数の候補日及びメッセージを含む情報（通知）を受信する（Ｓ２０２）。ステップＳ２０２の処理は、本発明の「同居親の情報処理装置及び非同居親の情報処理装置のうちの他方（第１情報処理装置１２）で面会日の複数の候補日の選択操作を受け付けた場合に、サーバ１１から複数の候補日を示す情報を受信する処理」に相当する。
【００５４】
（面会日設定処理：複数の候補日のうちの１の候補日を第１情報処理装置に通知するための処理）
図６を参照して、第２情報処理装置１３は、１の候補日の選択の催促通知を受信したかどうかを判断する（Ｓ２０３）。なお、１の候補日の選択の催促通知は、サーバ１１によって複数の候補日及びメッセージを含む情報を通知してから一定期間、第２情報処理装置１３で１の候補日の選択がなされない場合にサーバ１１から電子メールで送信されるものである。１の候補日の選択の催促通知を受信した場合には（Ｓ２０３でＹＥＳ）、第２情報処理装置１３は、メールソフトを介して督促通知を表示する（Ｓ２０４）。１の候補日の選択の催促通知を受信していない場合には（Ｓ２０３でＮＯ）、第２情報処理装置は、ステップＳ２０４を実行することなく、処理をステップＳ２０５に進める。
【００５５】
第２情報処理装置１３は、非同居親から１の候補の選択画像Ｇ２（図３）の表示操作を受け付け（Ｓ２０５）、操作に応じて１の候補の選択画像Ｇ２の送信要求をサーバ１１に対して送信する（Ｓ２０６）。
【００５６】
ここで、サーバ１１は、１の候補の選択画像Ｇ２の送信要求を第２情報処理装置１３（ステップＳ２０６を実行した第２情報処理装置１３）から受信する（Ｓ７）。そして、サーバ１１は、この受信した送信要求に応じて第２情報処理装置１３に対して１の候補の選択画像Ｇ２を第２情報処理装置１３に対して送信する（Ｓ８）。
【００５７】
第２情報処理装置１３は、１の候補の選択画像Ｇ２をサーバ１１（ステップＳ８を実行したサーバ１１）から受信して表示部１３４で表示する（Ｓ２０７）。１の候補の選択画像Ｇ２とは、図２Ｂで示すように、同居親から提示された面会日の複数の候補日の中から、非同居親が希望する１の候補日の選択を入力するためのグラフィカルユーザインタフェースである。図２Ｂで示す１の候補の選択画像Ｇ２は、複数の候補日（希望日）の表示欄Ｇ２１、同居親のメッセージ表示欄Ｇ２２、１の候補日（希望日）選択欄Ｇ２３が設けられている。複数の候補日（希望日）の表示欄Ｇ２１は、同居親が希望する複数の候補日に関する情報（面会日、面会時間、面会場所等）を表示する欄である。同居親のメッセージ表示欄Ｇ２２は、同居親が選択入力したメッセージを表示する欄である。１の候補日（希望日）選択欄Ｇ２３は、複数の候補日表示欄Ｇ２１で示される３個の候補日（希望日）のうちの何れを選択するかを入力するためのものである。また、１の候補の選択画像Ｇ２には、メッセージ入力欄Ｇ２４が設けられている。このメッセージ入力欄をカーソル等で選択すると、図４で示すようなサーバ１１の記憶部１１３に記憶されている定型メッセージの一覧が表示され、非同居親の選択操作によって定型メッセージ一覧の中からメッセージを選択して入力することが出来るようになっている。また、１の候補の選択画像Ｇ２には、「確認画面」ボタンＧ２５が表示されており、この「確認画面」ボタンＧ２５を選択操作すると、図２Ｃで示すような、非同居親確認画像Ｇ３が表示される。
【００５８】
非同居親確認画像Ｇ３には、複数の候補日（希望日）の表示欄Ｇ２１、同居親のメッセージ表示欄Ｇ２２、子供の氏名表示欄Ｇ３１、選択された１の候補日の表示欄Ｇ３２、非同居親のメッセージ表示欄Ｇ３３、「完了画面」ボタンＧ３４が設けられている。子供の氏名表示欄Ｇ３１には、非同居親と面会する子供の氏名が表示される。選択された１の候補日の表示欄Ｇ３２には、非同居親が選択した１の候補日が表示される。非同居親のメッセージ表示欄Ｇ３３には、選択入力された非同居親のメッセージが表示される。「完了画面」ボタンＧ３４は、非同居親の入力情報の確定操作を受け付けるためのものであり、確定操作を受け付けた場合に、１の候補日の選択及びメッセージ等の入力が確定される。
【００５９】
第２情報処理装置１３は、１の候補の選択画像Ｇ２及び非同居親確認画像Ｇ３に基づく１の候補日の選択操作及びメッセージの入力操作を受け付ける（Ｓ２０８）。そして、第２情報処理装置１３は、選択された１の候補日及び入力されたメッセージを含む情報（非同居親確認画像Ｇ３に表示されていた情報）をサーバ１１に対して送信する（Ｓ２０９）。ステップＳ２０９の処理は、「複数の候補日から、面会日の設定に用いられる１の候補日の選択操作を受け付けた場合に、サーバ１１に対して１の候補日を示す情報を送信する処理」に相当する。
【００６０】
ここで、サーバ１１は、第２情報処理装置１３（ステップＳ２０９を実行した第２情報処理装置１３）から選択された１の候補日及び入力されたメッセージを含む情報を受信したかどうかを判断する（Ｓ９）。選択された１の候補日及び入力されたメッセージを含む情報を受信したと判断した場合には（Ｓ９でＹＥＳ）、サーバ１１は、受信した情報に含まれる１の候補日及びメッセージを記憶部１１３に記憶するとともに、電子メールによってこれらの１の候補日及びメッセージを含む情報を第１情報処理装置１２に対して通知（送信）する（Ｓ１９）。なお、ステップＳ１９の処理が、本発明の「第２情報処理装置１３で、複数の候補日から１の候補日の選択操作を受け付けた場合に、通信部１１２によって、第１情報処理装置１２に１の候補日を通知する第２通知処理」に相当する。一方、選択された１の候補日及び入力されたメッセージを含む情報を受信していないと判断した場合には（Ｓ９でＮＯ）、次の処理を行う。すなわち、サーバ１１は、第１通知処理を行ってから（第１情報処置装置で前記面会日の複数の候補日の選択操作を受け付けてから）前記第２情報処置装置で所定期間、当該情報を受信していないとき（前記複数の候補日から１の候補日の選択操作を受け付けない場合）には、１の候補日の選択操作を促す１の候補日お選択の督促通知を第２情報処理装置１３に対して行う（Ｓ１０）。なお、ステップＳ１０の処理が、本発明の「第３通知処理」に相当する。その後、サーバ１１は、処理をステップＳ１１に進める。
【００６１】
そして、第１情報処理装置１２は、サーバ１１（Ｓ１１を実行したサーバ１１）から電子メールによって、１の候補日及びメッセージを含む情報を受信する（Ｓ１０６）。ステップＳ１０６の処理は、本発明の「同居親の情報処理装置及び非同居親の情報処理装置のうちの他方（第２情報処理装置）で、複数の候補日から、面会日の設定に用いられる１の候補日の選択操作を受け付けた場合に、サーバ１１から面会日に対応する１の候補日を示す情報を受信する処理」に該当します。
【００６２】
（面会日設定処理：面会日の承諾のための処理）
図７を参照して、第１情報処理装置１２が、同居親から面会日の承諾画像Ｇ４の表示操作を受け付け（Ｓ１０７）、操作に応じて面会日の承諾画像の送信要求をサーバ１１に対して送信する（Ｓ１０８）。
【００６３】
ここで、サーバ１１は、面会日の承諾画像Ｇ４の送信要求を第１情報処理装置１２（ステップＳ１０８を実行した第１情報処理装置１２）から受信し（Ｓ１２）、この送信要求に応じて面会日承諾画像を第１情報処理装置１２に対して送信する（Ｓ１３）。
【００６４】
第１情報処理装置１２は、面会日の承諾画像Ｇ４をサーバ１１（ステップＳ１３を実行したサーバ１１）から受信して、表示部１２４で表示する（Ｓ１０９）。面会日の承諾画像Ｇ４は、例えば、図３で示すような１の候補日を面会日として承諾するためのグラフィカルユーザインタフェースである。図３の面会日の承諾画像Ｇ４は、複数の候補日（希望日）の表示欄Ｇ２１、同居親のメッセージ表示欄Ｇ２２、子供の氏名表示欄Ｇ３１、選択された１の候補日の表示欄Ｇ３２、非同居親のメッセージ表示欄Ｇ３３、「承認」ボタンＧ４１が設けられている。「承認」ボタンＧ４１は、非同居親の選択した１の候補日を承諾（承認）する面会日承諾操作を受け付けるためのものである。第１情報処理装置１２は、面会日承諾画像Ｇ４に基づいて、同居親から面会日を承諾する操作（面会日承諾操作）を受け付けて、１の候補日の承諾を示す情報（承諾情報）をサーバ１１に対して送信する（Ｓ１１０）。
【００６５】
ここで、サーバ１１は、承諾情報を第１情報処理装置１２から受信して、１の候補日を面会日として決定して記憶部１１３に自動的に設定登録（記憶）する（Ｓ１４）。ステップＳ１４の処理が本発明の「１の候補日に基づいて面会日を自動的に設定する処理」に該当する。この後、サーバ１１は、１の候補日が面会日として設定されたことを示す面会日決定通知を、電子メールによって第２情報処理装置１３及び管理者情報処理装置１４に対して送信する。この面会日決定通知を受信した第２情報処理装置１３は、メールソフトを介して非同居親に面会日決定通知を表示する。また、この面会日決定通知を受信した管理者情報処理装置１４は、メールソフトを介して管理者に面会日決定通知を表示する。
【００６６】
（面会日設定処理：面会報告ための処理）
第２情報処理装置１３は、非同居親から面会日報告画像の表示操作を受け付け（Ｓ２１０）、操作に応じて面会日報告画像の送信要求をサーバ１１に対して送信する（Ｓ２１１）。
【００６７】
ここで、サーバ１１は、第２情報処理装置１３（ステップＳ２１１を実行した第２情報処理装置１３）から面会日報告画像の送信要求を受信し（Ｓ１６）、この送信要求に応じて面会日報告画像を第２情報処理装置１３に対して送信する（Ｓ１７）。
【００６８】
第２情報処理装置１３は、サーバ１１（Ｓ１７を実行したサーバ１１）から面会日報告画像を受信して、表示部１３４で表示する（Ｓ２１２）。面会日報告画像は、非同居親から面会日の面会状況（面会の実施の有無、面会の内容等）の報告である面会日報告の入力を受け付けるためのグラフィカルユーザインタフェースである。そして、第２情報処理装置１３は、面会日報告画像に基づいて面会日報告の入力を受け付けて、入力された面会日報告をサーバ１１に対して送信する（Ｓ２１３）。
【００６９】
ここで、サーバ１１は、第２情報処理装置１３（ステップＳ２１３を実行した第２情報処理装置１３）から面会日報告を受信し、面会日報告の内容（面会日を含む）を履歴として記憶部１１３に登録（記録）する（Ｓ１８）。そして、サーバ１１は、面会報告を登録した旨を通知する面会報告の登録通知を第１情報処理装置１２、第２情報処理装置１３、及び管理者情報処理装置１４に対して、電子メールで送信する（Ｓ１９）。
【００７０】
ここで、第１情報処理装置１３及び第２情報処理装置１４は、面会報告の登録通知をサーバ１１から電子メールで受信する（Ｓ１１１、Ｓ２１４）。
【００７１】
（面会日設定処理：履歴情報の閲覧のための処理）
図８を参照して、第１情報処理装置１２は、同居親から履歴表示操作を受け付けたかどうかを判断する（Ｓ１１２）。同居親から履歴表示操作を受け付けたと判断した場合には（Ｓ１１２でＹＥＳ）、第１情報処理装置１２は、履歴閲覧要求をサーバ１１に対して送信する（Ｓ１１３）。また、第２情報処理装置１３は、非同居親から履歴表示操作を受け付けたかどうかを判断する（Ｓ２１５）。非同居親から履歴表示操作を受け付けたと判断した場合には（Ｓ２１５でＹＥＳ）、第２情報処理装置１３は、履歴閲覧要求をサーバ１１に対して送信する（Ｓ２１６）。
【００７２】
ここで、サーバ１１は、第１情報処理装置１２、第２情報処理装置１３、管理者情報処理装置１４、及び支援者情報処理装置１５の何れかから履歴閲覧要求を受信したかどうかを判断する（Ｓ２０）。履歴閲覧要求（履歴の閲覧要求）を受信したと判断した場合には（Ｓ２０でＹＥＳ）、サーバ１１は、履歴閲覧要求を送信した情報処理装置に対して履歴情報を送信する（Ｓ２１）。具体的には、第１情報処理装置１２、第２情報処理装置１３、管理者情報処理装置１４及び支援者情報処理装置１５のうち何れかの情報処理装置から履歴閲覧要求を受信したときに、履歴閲覧要求を送信した情報処理装置に対して、記録された履歴を示す情報（履歴情報）が送信される。履歴情報とは、例えば、ステップＳ１４で登録された面会日の情報である。面会日が順次履歴として記録されるため、過去の面会日の情報を履歴情報として送信することができる。また、後述のステップＳ２３において、メッセージ（選択されたメッセージ）を送信する処理を行った場合に、この送信したメッセージがメッセージ履歴として順次記録されるが、過去に送信されたメッセージが履歴情報として送信されてもよい。例えば、管理者情報処理装置１４からのメッセージ履歴の閲覧要求を受信したときに、管理者情報処理装置１４に対して、メッセージ履歴を示す履歴情報を送信する処理が行われる。また、履歴情報は、ステップＳ１８で登録された面会日報告の内容であってもよい。
【００７３】
なお、面会交流データベースには、上述したように、同居親及び前記非同居親に対応づけて、支援者が登録されているが、同居親及び前記非同居親についての履歴閲覧要求を、支援者情報処理装置１５から受信したときに、当該支援者が前記同居親及び前記非同居親に対応づけて登録されている場合にのみ、上記ステップＳ２１において、同居親及び前記非同居親についての前記履歴が支援者情報処置装置１５に対して送信される。
【００７４】
第１情報処理装置１２、第２情報処理装置１３は、サーバ１１（ステップＳ２１を実行したサーバ１１）から履歴情報を受信して、表示部１２４、１３４で表示する（Ｓ１１４、Ｓ２１７）。なお、同居親又は非同居親から履歴表示操作を受け付けていないと判断した場合には（Ｓ１１２でＮＯ、Ｓ２１５でＮＯ）、第１情報処理装置１２及び第１情報処理装置１３は、ステップＳ１１３、Ｓ１１４、Ｓ２１６、Ｓ２１７を実行することなく、処理をステップＳ１１５、Ｓ２１８に進める。
【００７５】
（面会日設定処理：定型メッセージ登録のための処理）
サーバ１１は、メッセージ登録画像Ｇ５の送信要求を管理者情報処理装置１４から受信したかどうかを判断する（Ｓ２２）。ここで、管理者情報処理装置１４は、メッセージ登録画像Ｇ５の表示操作を管理者から受け付けたときに、メッセージ登録画像Ｇ５の送信要求をサーバ１１に対して送信する。メッセージ登録画像Ｇ５の送信要求を管理者情報処理装置１４から受信したと判断した場合には（Ｓ２２でＹＥＳ）、サーバ１１は、メッセージ登録画像Ｇ５を管理者情報処理装置１４に対して送信する（Ｓ２３）。ここで、管理者情報処理装置１４は、メッセージ登録画像Ｇ５を受信したときに、メッセージ登録画像Ｇ５を表示部１４４で表示する。なお、メッセージ登録画像Ｇ５の送信要求を管理者情報処理装置１４から受信していないと判断した場合には（Ｓ２２でＮＯ）、サーバ１１は、処理をステップＳ２４に進める。
【００７６】
メッセージ登録画像Ｇ５は、図４で示すように、管理者から定型メッセージの追加、及び修正の入力を受け付けるためのグラフィカルユーザインタフェースである。図４で示すメッセージ登録画像Ｇ５では、シリアルナンバーＮＯ．１から８までの８個の定型メッセージが登録されていることがメッセージテンプレートマスタ一覧Ｇ５１で示されている。メッセージテンプレートマスタ一覧Ｇ５１には、定型メッセージの内容を示す８個のメッセージテンプレート欄Ｇ５１１とメッセージテンプレート欄Ｇ５１１に対応するように、編集操作欄Ｇ５１２が設けられている。編集操作欄Ｇ５１２を操作することで、対応するメッセージテンプレートＧ５１１のメッセージ内容の編集、メッセージの削除を行うことが出来るようになっている。また、「＋新規登録」操作ボタンＧ５２を選択することで、テキスト入力画像が別画像で表示され、テキスト入力によって新規の定型メッセージの追加を行うことが出来るようになっている。ここで、管理情報処理装置１４は、メッセージ登録画像Ｇ５に基づいて、新規の定型メッセージの追加、定型メッセージの編集又は削除が入力されたときに、追加定型メッセージ又はメッセージ編集・削除情報をサーバ１１に対して送信する。
【００７７】
サーバ１１は、管理情報処理装置１４から追加定型メッセージ又はメッセージ編集・削除情報を受信したかどうかを判断する（Ｓ２４）。管理情報処理装置１４から追加定型メッセージ又はメッセージ編集・削除情報を受信したと判断した場合（Ｓ２４でＹＥＳ）、サーバ１１は、受信した追加定型メッセージ又はメッセージ編集・削除情報に基づいて記憶部１１３に記憶されている定型メッセージのリストを編集する（Ｓ２５）。例えば、追加定型メッセージを受信した場合に、当該追加定型メッセージを前記定型メッセージとして登録する処理を行う。なお、管理情報処理装置１４から追加定型メッセージ又はメッセージ編集・削除情報を受信していないと判断した場合には（Ｓ２４でＮＯ）、サーバ１１は処理をステップＳ２６に進める。
【００７８】
（面会日設定処理：面会日設定システム１の利用停止のための処理）
第１情報処理装置１２は、同居親から退会操作を受け付けたかどうかを判断する（Ｓ１１５）。なお、退会操作受け付けは、第１情報処理装置１２において、ブラウザを介して入力される。第１情報処理装置１２から退会操作画像の送信が要求された場合に、サーバ１１は、第１情報処理装置１２に対して退会操作画像を送信する。同居親から退会操作を受け付けたと判断した場合には（Ｓ１１５でＹＥＳ）、第１情報処理装置１２は、退会要求をサーバ１１に対して送信する（Ｓ１１６）。また、第２情報処理装置１３は、非同居親から退会操作を受け付けたかどうかを判断する（Ｓ２１８）。なお、退会操作受け付けは、第２情報処理装置１３において、ブラウザを介して入力される。第２情報処理装置１３から退会操作画像の送信が要求された場合に、サーバ１１は、第２情報処理装置１３に対して退会操作画像を送信する。同居親から退会操作を受け付けたと判断した場合には（Ｓ２１８でＹＥＳ）、第２情報処理装置１３は、退会要求をサーバ１１に対して送信する（Ｓ２１９）。
【００７９】
サーバ１１は、退会要求を受信したかどうかを判断する（Ｓ２６）。退会要求を受信したと判断した場合には（Ｓ２６でＹＥＳ）、サーバ１１は、退会処理を実行する（Ｓ２７）。退会処理では、管理者情報処理装置１４に対して電子メールで退会要求を受信したことを通知する。管理情報処理装置１４は、電子メールで退会要求を受信した後、退会承認画像の表示操作を管理者から受け付けたときに、退会承認画像の送信要求をサーバ１１に対して送信する。サーバ１１は、退会承認画像の送信要求を受信したときに、退会承認画像を管理者情報処理装置１４に対して送信する。管理者情報処理装置１４は、受信した退会承認画像を表示部１４４で表示し、退会承認画像に基づいて退会承認を管理者から受け付ける。退会承認を受け付けたときに、管理者情報処理装置１４は、退会承認情報をサーバ１１に対して送信する。サーバ１１は、退会承認情報を管理者情報処理装置１４から受信したときに、記憶部１１３における同居親及び非同居親の情報（退会要求を送信した第１情報処理装置１２又は第２情報処理装置１３に関する同居親及び非同居親の情報）を面会交流データベースから削除する。その後、サーバ１１は、退会通知を電子メールで第１情報処理装置１２及び第２情報処理装置１３に対して送信する。サーバ１１は、その後、処理をステップＳ１に戻す。なお、退会要求を受信していないと判断した場合には（Ｓ２６でＮＯ）、サーバ１１はステップＳ２７を実行することなく、処理をステップＳ１に戻す。
【００８０】
第１情報処理装置１２及び第２情報処理装置１３は、退会通知を受信する退会処理を行う（Ｓ１１７、２２０）。退会処理後は、第１側面会日設定処理、及び第２側面会日設定処理を終了する。なお、同居親から退会操作を受け付けていないと判断した場合（Ｓ１１５でＮＯ）、第１情報処理装置１２は、処理を図５のステップＳ１０２に戻す。なお、非同居親から退会操作を受け付けていないと判断した場合（Ｓ２１８でＮＯ）、第２情報処理装置１２は、処理を図５のステップＳ２０２に戻す。
【００８１】
上述した本実施形態は、本考案を適用した実施形態の一例であり、適宜構成を変更することが出来る。例えば、面会日設定システム１を構成する装置の個数、及び種類について、適宜変更することが可能である。以下に本実施形態の構成を変更した変形例の一例を説明する。
【００８２】
（変形例）
以下に本実施形態の変形例を説明する。
【００８３】
（１）本実施形態に係る面会日設定システム１は、ブラウザ機能及び電子メール機能を用いて情報の送受信を行うが、何れか一方のみであってもよい。また、電子メール機能に代えて、ＳＮＳ等のメッセージ機能を使用してもよい。
【００８４】
（２）本実施形態に係る面会日設定システム１では、同居親の情報処理装置が第１情報処理装置１２であり、非同居親の情報処理装置が第２情報処理装置１３であるが、同居親の情報処理装置が第２情報処理装置１３であり、非同居親の情報処理装置が第１情報処理装置１２であってもよい。すなわち、非同居親が、複数の候補日を選択し、同居親が、複数の候補日から１の候補日を選択する構成であってもよい。また、同居親の情報処理装置及び非同居親の情報処理装置の両方が、複数の候補日の入力を受け付けることが出来る構成であってもよい（第１情報処理装置であってもよい）。この場合には、同居親の情報処理装置及び非同居親の情報処理装置の両方が、複数の候補日から１の候補日の選択の入力を受け付けることが出来る構成とすればよい（第２情報処理装置としても機能すればよい）。
【００８５】
（３）本実施形態に係る面会日設定システム１において、ステップＳ１４において面会日が設定されてから、複数の候補日の入力が一定期間（例えば２か月間）なされない場合（ステップＳ５の処理が一定期間なされない場合）、サーバ１１が複数の候補日の入力を促す通知を電子メールや専用アプリケーション等で行っても良い。また、通知日を設定し、毎月設定した日に、複数の候補日の入力を促す通知を自動的に行っても良い。
【００８６】
（４）本実施形態に係る面会日設定システム１では、サーバ１１を介して、第１情報処理装置１２及び第２情報処理装置１３の間で通信を行っているが、サーバ１１を介さずに、直接（ピアツーピアで）通信を行ってもよい。この場合には、第１情報処理装置１２及び第２情報処理装置１３に面会日設定の専用アプリケーションをインストールし、互いに相手方として登録し、登録した相手方との間で通信をおこなえばよい。１の候補日に基づいて面会日を自動的に設定する処理は、第１情報処理装置１２及び第２情報処理装置１３のうち何れか一方の情報処置装置で行い、他方の情報処理装置に通知すればよい。
【符号の説明】
【００８７】
１          面会日設定システム
１１        サーバ
１２        第１情報処理装置
１３        第２情報処理装置
１４        管理者情報処理装置（管理者の情報処理装置）
１５        支援者情報処理装置（支援者の情報処理装置）
N          ネットワーク（通信ネットワーク）
【図１】
0003223163.tif 000003
【図２Ａ】
0003223163.tif 000004
【図２Ｂ】
0003223163.tif 000005
【図２Ｃ】
0003223163.tif 000006
【図３】
0003223163.tif 000007
【図４】
0003223163.tif 000008
【図５】
0003223163.tif 000009
【図６】
0003223163.tif 000010
【図７】
0003223163.tif 000011
【図８】
0003223163.tif 000012